(57)【要約】【課題】折り畳み式携帯端末機において、薄型化を実現しつつ、折り畳んだ筐体を開く作業が簡易に行えるようにする。【解決手段】第１筐体１のヒンジ部３側の左右側縁部に、第２筐体２を折り畳んだ状態で当該第２筐体２の側面部の外側に位置する第１リブ１１を設ける。そして、第２筐体２のヒンジ部３と反対側の左右側縁部に、第１筐体１を折り畳んだ状態で当該第１筐体１の側面部の外側に位置する第２リブ１２を設ける。従って、薄型化を実現しつつ、指による簡易な操作、つまり、左右両手による奥側の第１リブ１１及び手前側の第２リブ１２を指で挟んだ自然なオープン操作で、折り畳んだ筐体を開く作業を簡易に行うことができる。【選択図】図１
2008187285.tif 000002
【特許請求の範囲】
【請求項１】
第１筐体と第２筐体とがヒンジ部を介して折り畳み可能に結合された折り畳み式携帯端末機であって、
前記第１筐体の前記ヒンジ部側の左右側縁部に、前記第２筐体を折り畳んだ状態で当該第２筐体の側面部の外側に位置する第１リブを設け、
前記第２筐体の前記ヒンジ部と反対側の左右側縁部に、前記第１筐体を折り畳んだ状態で当該第１筐体の側面部の外側に位置する第２リブを設けたことを特徴とする折り畳み式携帯端末機。
【請求項２】
前記第１筐体と前記第２筐体の折り畳み状態において、前記第１リブと前記第２リブが一直線状に位置することを特徴とする請求項１に記載の折り畳み式携帯端末機。
【請求項３】
第１筐体と第２筐体とがヒンジ部を介して折り畳み可能に結合された折り畳み式携帯端末機であって、
前記第１筐体の前記ヒンジ部側の左右側縁部に、前記第２筐体を折り畳んだ状態で当該第２筐体の側面部の外側に位置する第１起立部を設け、
前記第２筐体の前記ヒンジ部と反対側の左右側縁部に、前記第１筐体を折り畳んだ状態で当該第１筐体の側面部の外側に位置する第２起立部を設けたことを特徴とする折り畳み式携帯端末機。
【請求項４】
前記第１筐体と前記第２筐体の折り畳み状態において、前記第１起立部と前記第２起立部が同一面状に位置することを特徴とする請求項３に記載の折り畳み式携帯端末機。
【発明の詳細な説明】
【技術分野】
【０００１】
本発明は、折り畳み式の携帯端末機に関する。
【背景技術】
【０００２】
第１筐体（操作部筐体）と第２筐体（表示部筐体）とがヒンジ部を介して折り畳み可能な折り畳み式携帯端末機（携帯電話機）では、薄型化が進んでおり、その両筐体を極端に薄くした場合には、それが折り畳まれている状態では両筐体を指で別々にして開く作業が困難になり、手間取る可能性が高い。
【０００３】
その開く操作を簡易化するために、ヒンジ部にバネを設け、閉じた状態ではそのバネをロックし、開くときにはヒンジ部の釦などを操作して前記ロックを解除して自動的に開くようにした構造が知られている（特許文献１参照）。特許文献１は、ヒンジ部に設けられた釦操作で自動的に開く携帯電話機で、その釦を可動側筐体の側面を覆う覆い部に設けたものである。つまり、釦操作時に指が表示部筐体の側面に触れないようしたものとなっている。
【０００４】
また、受話部筐体の両側縁部を囲い構造とし、折り畳んだとき送話部筐体が囲い構造の内側に位置する構造も知られている（特許文献２参照）。特許文献２は、スライドスイッチで自動的に開くようにしたものである。
【特許文献１】特開２００３−１８８９６６号公報
【特許文献２】特開２００６−３５２９２０号公報
【発明の開示】
【発明が解決しようとする課題】
【０００５】
しかし、特許文献１のような構造では、開くことは簡単に行えるが、自動的に開くようにするためのバネに工夫を加えてかなり強めのバネ力を付ける必要があり、ヒンジ部でのバネ構造が大型化するなど余計な構造が必要になり、薄型化の障害になる。また、特許文献２のような構造でも同様である。
このため、薄型化を実現しつつ、折り畳んだ筐体を開く作業を簡易に行える実装が望まれる。
【０００６】
本発明の課題は、折り畳み式携帯端末機において、薄型化を実現しつつ、折り畳んだ筐体を開く作業が簡易に行えるようにすることである。
【課題を解決するための手段】
【０００７】
以上の課題を解決するため、請求項１に記載の発明は、第１筐体と第２筐体とがヒンジ部を介して折り畳み可能に結合された折り畳み式携帯端末機であって、前記第１筐体の前記ヒンジ部側の左右側縁部に、前記第２筐体を折り畳んだ状態で当該第２筐体の側面部の外側に位置する第１リブを設け、前記第２筐体の前記ヒンジ部と反対側の左右側縁部に、前記第１筐体を折り畳んだ状態で当該第１筐体の側面部の外側に位置する第２リブを設けたことを特徴とする。
【０００８】
請求項２に記載の発明は、請求項１に記載の折り畳み式携帯端末機であって、前記第１筐体と前記第２筐体の折り畳み状態において、前記第１リブと前記第２リブが一直線状に位置することを特徴とする。
【０００９】
請求項３に記載の発明は、第１筐体と第２筐体とがヒンジ部を介して折り畳み可能に結合された折り畳み式携帯端末機であって、前記第１筐体の前記ヒンジ部側の左右側縁部に、前記第２筐体を折り畳んだ状態で当該第２筐体の側面部の外側に位置する第１起立部を設け、前記第２筐体の前記ヒンジ部と反対側の左右側縁部に、前記第１筐体を折り畳んだ状態で当該第１筐体の側面部の外側に位置する第２起立部を設けたことを特徴とする。
【００１０】
請求項４に記載の発明は、請求項３に記載の折り畳み式携帯端末機であって、前記第１筐体と前記第２筐体の折り畳み状態において、前記第１起立部と前記第２起立部が同一面状に位置することを特徴とする。
【発明の効果】
【００１１】
本発明によれば、薄型化を実現しつつ、指による簡易な操作、つまり、左右両手による自然なオープン操作で、折り畳んだ筐体を開く作業を簡易に行うことができる。
【発明を実施するための最良の形態】
【００１２】
以下、図を参照して本発明を実施するための最良の形態を詳細に説明する。
（実施形態１）
図１から図３は本発明を適用した携帯端末機の実施形態１の構成として携帯電話機を示したもので、１は第１筐体（操作部筐体）、２は第２筐体（表示部筐体）、３はヒンジ部、４は操作部、５は表示部、１１は第１リブ、１２は第２リブである。
図示のように、第１筐体１と第２筐体２は共に薄型のもので、ヒンジ部３を介して折り畳み可能に結合されており、実施形態では、第１筐体１に各種操作キーによる操作部４が設けられ、第２筐体２に液晶画面等による表示部５が設けられている。従って、第１筐体１が操作部筐体をなし、第２筐体２が表示部筐体をなす。
【００１３】
そして、第１筐体１の操作部４面のヒンジ部３側である奥側には、左右両側縁部に沿って外側に位置する第１リブ１１が一体に形成されている。この第１リブ１１は、表示部５面側で重ねられる第２筐体２の側面部の外側に位置するようにして、第１筐体１上に突出して形成されている。
【００１４】
また、第２筐体２の表示部５面のヒンジ部３と反対側には、左右両側縁部に沿って外側に位置する第２リブ１２が一体に形成されている。この第２リブ１２は、表示部５面側で重ねられる第１筐体１の側面部の外側に位置するようにして、第１筐体１上に突出して形成されている。なお、図示例では、第２筐体２のヒンジ部３と反対側の端部にも連続して第２リブ１２が形成されている。
【００１５】
以上の携帯電話機は、図２及び図３に示した折り畳み状態において、両筐体１・２の側面部には、手前側半部に第１リブ１１があり、その奥側（ヒンジ部３側）半部に第２リブ１２があり、これらの第１リブ１１及び第２リブ１２は、図示のように、一直線状に並んで位置した状態にある。このため、片手で、例えば左手で奥側半部の第２リブ１２に指を掛けて両筐体１・２を自然に挟み込むことができ、もう片方の手で、例えば右手で手前側半部の第１リブ１１に指を掛けて両筐体１・２を自然に挟み込むことができる。従って、左右両手で手前側半部の第１リブ１１と奥側半部の第２リブ１２を指で挟んで開くことで、図１に示すように、両筐体１・２を開くことができる。
【００１６】
以上のように、折り畳み式携帯電話機において、両筐体１・２の薄型化を実現しつつ、指による簡易な操作、つまり、左右両手による奥側半部の第１リブ１１及び手前側半部の第２リブ１２を指で挟んだ自然なオープン操作で、折り畳んだ筐体１・２を開く作業を簡易に行うことができる。
【００１７】
（実施形態２）
図４から図６は本発明を適用した携帯端末機の実施形態２の構成として携帯電話機を示したもので、前述した実施形態１と同様の部分には同一符号を付してその説明を省略し、以下では異なる部分について説明する。
すなわち、実施形態２では、図４から図６に示すように、第１筐体１の操作部４面のヒンジ部３側である奥側には、左右両側縁部に沿って外側に起立する第１起立部２１が一体に形成されている。この第１起立部２１は、表示部５面側で重ねられる第２筐体２の側面部の外側に位置するようにして、第１筐体１上に突出して形成されている。
【００１８】
また、第２筐体２の表示部５面のヒンジ部３と反対側には、左右両側縁部に沿って外側に起立する第２起立部２２が一体に形成されている。この第２起立部２２は、表示部５面側で重ねられる第１筐体１の側面部の外側に位置するようにして、第１筐体１上に突出して形成されている。なお、図示例では、第２筐体２のヒンジ部３と反対側の端部にも連続して第２起立部２が形成されている。
【００１９】
以上の携帯電話機は、図５及び図６に示した折り畳み状態において、両筐体１・２の側面部には、手前側半部に第１起立部２１があり、その奥側（ヒンジ部３側）半部に第２起立部２２があり、これらの第１起立部２１及び第２起立部２２は、図示のように、同一面状に並んで位置した状態にある。このため、片手で、例えば左手で奥側半部の第２起立部２２に指を掛けて両筐体１・２を自然に挟み込むことができ、もう片方の手で、例えば右手で手前側半部の第１起立部２１に指を掛けて両筐体１・２を自然に挟み込むことができる。従って、左右両手で手前側半部の第１起立部２１と奥側半部の第２起立部２２を指で挟んで開くことで、図４に示すように、両筐体１・２を開くことができる。
【００２０】
以上のように、折り畳み式携帯電話機において、両筐体１・２の薄型化を実現しつつ、指による簡易な操作、つまり、左右両手による奥側半部の第１起立部２１及び手前側半部の第２起立部２２を指で挟んだ自然なオープン操作で、折り畳んだ筐体１・２を開く作業を簡易に行うことができる。
【００２１】
なお、以上の実施形態においては、携帯電話機としたが、本発明はこれに限定されるものではなく、ＰＤＡ、その他の携帯端末機であっても良い。
また、実施形態では、第１筐体を操作部筐体、第２筐体を表示部筐体としたが、逆に、第１筐体を表示部筐体、第２筐体を操作部筐体としても良い。
さらに、実施形態では、リブまたは起立部を筐体と一体に形成したが、筐体に別体のリブまたは起立部を取り付けるようにしても良い。
また、ヒンジ部と反対側端部に起立するリブや起立部はなくても良く、さらに、リブや起立部の形状等も任意であり、その他、具体的な細部構造等についても適宜に変更可能であることは勿論である。
【図面の簡単な説明】
【００２２】
【図１】本発明を適用した携帯端末機の実施形態１の構成を示すもので、携帯電話機を開いた状態で下側から見た斜視図（ａ）と上側から見た斜視図（ｂ）である。
【図２】図１の携帯電話機を折り畳んだ状態で下側から見た斜視図（ａ）と上側から見た斜視図（ｂ）である。
【図３】図２の折り畳んだ状態での第１リブの部分での縦断面図（ａ）と第２リブの部分での縦断面図（ｂ）である。
【図４】本発明を適用した携帯端末機の実施形態２の構成を示すもので、携帯電話機を開いた状態で下側から見た斜視図（ａ）と上側から見た斜視図（ｂ）である。
【図５】図４の携帯電話機を折り畳んだ状態で下側から見た斜視図（ａ）と上側から見た斜視図（ｂ）である。
【図６】図５の折り畳んだ状態での第１起立部の部分での縦断面図（ａ）と第２起立部の部分での縦断面図（ｂ）である。
【符号の説明】
【００２３】
１  第１筐体（操作部筐体）
２  第２筐体（表示部筐体）
３  ヒンジ部
４  操作部
５  表示部
１１  第１リブ
１２  第２リブ
２１  第１起立部
２２  第２起立部
【図１】
2008187285.tif 000003
【図２】
2008187285.tif 000004
【図３】
2008187285.tif 000005
【図４】
2008187285.tif 000006
【図５】
2008187285.tif 000007
【図６】
2008187285.tif 000008